(57)【要約】      （修正有）【課題】キューブ型と略枡型の形態を相互に簡易変化させるペット用ベッドを提供する。【解決手段】ペット用ベッドは、キューブ型の表面に対し、略長方形の形状に上下に分割する水平方向の縫目を有しており、前記キューブ型の表面に対し略楕円状に模られた開口部を有しており、前記キューブ型の表面のうち、上面と底面の内側同士を重ね合わせること、および前記開口部の形状によって、正面、背面と右側面及び左側面に設けられた上記水平方向の縫目を中心にして折り畳まれたとき、前記キューブ型の形態から略枡型の形態に変形する。  【選択図】図１
0003215858.tif 000002
【実用新案登録請求の範囲】
【請求項１】
キューブ型の表面に対し、略長方形の形状に上下に分割する水平方向の縫目を有しており、前記キューブ型の表面に対し略楕円状に模られた開口部を有しており、
前記キューブ型の表面のうち、上面と底面の内側同士を重ね合わせること、および前記開口部の形状によって、正面、背面と右側面及び左側面に設けられた上記水平方向の縫目を中心にして折り畳まれたとき、前記キューブ型の形態から略枡型の形態に変形する、ペット用ベッド。  
【請求項２】
略枡型に変形している上記ペット用ベッドにおいて、（１）折りたたまれている前記正面、背面、右側面および左側面のそれぞれと前記上面との境界部分、ならびに（２）当該上面が、枡の平らな底を形成している、請求項１に記載のペット用ベッド。
【請求項３】
キューブ型の表面のうち底面にアーチ状の縫目を利用して半円に模られた孔部を有しており、キューブ型の形態時の底面に対して略四角の中敷が設置され、略枡型の形態時には当該上面に対して略四角形の中敷が設置される請求項１に記載のペット用ベッド。
【考案の詳細な説明】
【技術分野】
【０００１】
本考案は、ペット用ベッドに関するものである。
【先行技術文献】
【非特許文献】
【０００２】
【非特許文献１】意匠登録第１５４５１６６号公報
【考案の概要】
【考案が解決しようとする課題】
【０００３】
キューブ型と略枡型の形態を簡易的に相互変化させるペット用ベッドを提供することを目的とする。
【課題を解決するための手段】
【０００４】
キューブ型の表面に対し、略長方形の形状に上下に分割する水平方向の縫目を有しており、前記キューブ型の表面に対し略楕円状に模られた開口部を有しており、前記キューブ型の表面のうち、上面と底面の内側同士を重ね合わせること、および前記開口部の形状によって、正面、背面と右側面及び左側面に設けられた上記水平方向の縫目を中心にして折り畳まれたとき、前記キューブ型の形態から略枡型の形態に変形する、ペット用ベッド。  
【考案の効果】
【０００５】
本考案のペット用ベッドは、キューブ型と略枡型の形態を簡易的に相互変化させるという利点がある。
【図面の簡単な説明】
【０００６】
【図１】本考案のペット用ベッドの正面図である。
【図２】本考案のペット用ベッドの背面図である。
【図３】本考案のペット用ベッドの右側面図である。
【図４】本考案のペット用ベッドの左側面図である。
【図５】本考案のペット用ベッドの平面図である。
【図６】本考案のペット用ベッドの底面図である。
【図７】本考案のペット用ベッドの参考斜視図である。
【図８】本考案のペット用ベッドの、変化の途中の斜視図（１）である。
【図９】本考案のペット用ベッドの、変化の途中の斜視図（２）である。
【図１０】本考案のペット用ベッドの、変化後の斜視図（１）である。
【図１１】本考案のペット用ベッドの、変化後の正面図である。
【図１２】本考案のペット用ベッドの、変化後の背面図である。
【図１３】本考案のペット用ベッドの、変化後の右側面図である。
【図１４】本考案のペット用ベッドの、変化後の左側面図である。
【図１５】本考案のペット用ベッドの、変化後の平面図（１）である。
【図１６】本考案のペット用ベッドの、変化後の平面図（２）である。
【図１７】本考案のペット用ベッドに備えられている中敷の平面図である。
【図１８】本考案のペット用ベッドに備えられている中敷の底面図である。
【考案を実施するための形態】
【０００７】
（考案に係る物品の説明）
本物品は、主に犬や猫などのペット用に使用される可変型のベッドである。具体的には、キューブ型ベッドの形態から、略枡型ベッドの形態に変化することができ、略枡型ベッドの形態からキューブ型のベッドの形態に変化させることができる。本物品の底面部にはアーチ状に模られた縫目を有し、そのアーチ状の縫目を利用して、半円に模られた孔部を３箇所有している。この孔部は、キューブ型ベッドもしくは略枡型ベッドの内部の底面部に設置された暖房器具等の電源ケーブル等を通す際に使用される。また、本物品はリバーシブルの中敷を有するペット用ベッドで、中敷はキューブ型の形態時には物品の底面部に、略枡型ベッドの形態時には上面に設置される。なお、底面部に対する中敷の有無は、暖房器具の設置に影響するものではない。
【０００８】
（考案の説明）
各図の周辺部に表された色彩（グレー色）は、形状を明確にするための背景色である。また、各図の背景色を除いた形状が、本実用新案登録出願のペット用ベッドとする。
【０００９】
（材質）
キューブ型ベッドの正面、背面、側面、上面の表面は肌触りに優れた化学繊維でできており、ウレタン素材の厚板が内包されている。それぞれの裏側は保温性に優れている起毛繊維でできている。本物品の底面は合成繊維でできている。
【００１０】
（形態変化）
「正面図」、「背面図」、「右側面図」、「左側面図」（図１〜４）で示されるように、キューブ型ベッドにおいて、本物品の正面、背面、左右の表面は中間部で直線状に縫い合わされて上下に２分割されている。このため、「正面図」、「背面図」、「右側面図」、「左側面図」（図１〜４）のそれぞれの表面は、正面図を除いた各表面は６つの略長方形に分割されている。また、正面図は、略半円形状に模られた開口部を有する略長方形に分割されている。このため「変化の途中の斜視図（１）」、「変化の途中の斜視図（２）」（図８及び図９）に示されるように、キューブ型ベッドの状態であっても、各々の分割線の縫目によって得られた弾力性を利用して、略枡型ベッドに変形することができる。キューブ型ベッドの上面を略枡型ベッドの底面部とすることで、略枡型ベッドに形態を変化することができる。このように、正面、背面、左右の側面を２分割することで、これらの表面側のいずれからも底面側に向かって折り込むことを容易にしている。
【００１１】
（中敷）
「参考斜視図」、「変化後の平面図（１）」、「変化後の平面図（２）」、「中敷の平面図」、「中敷の底面図」（図７、図１５、図１６、図１７及び図１８）で示されるように、キューブ型ベッドの内部底面には、表面に使用されている生地と、裏側に使用されている生地を用いた略四角形状の中敷きが保温性や暖房器具を保護する目的でキューブ型ベッドの底面部に敷かれ、略枡型ベッドの形態に変化した際は、その中敷を「変化後の平面図（２）」に示すように、寝床となる略枡型の底面（キューブ型の上面）に移動させて使用する。また、略枡型ベッドの形態に変化させる場合、中敷を移動させず形態を変化させても良い。この場合、中敷は、キューブ型ベッドの底面部に敷かれた状態から移動しない。このため、いずれの形態でもペット用ベッドとして機能する。なお、中敷の正面図、背面図、左右側面図を省略する。
【図１】
0003215858.tif 000003
【図２】
0003215858.tif 000004
【図３】
0003215858.tif 000005
【図４】
0003215858.tif 000006
【図５】
0003215858.tif 000007
【図６】
0003215858.tif 000008
【図７】
0003215858.tif 000009
【図８】
0003215858.tif 000010
【図９】
0003215858.tif 000011
【図１０】
0003215858.tif 000012
【図１１】
0003215858.tif 000013
【図１２】
0003215858.tif 000014
【図１３】
0003215858.tif 000015
【図１４】
0003215858.tif 000016
【図１５】
0003215858.tif 000017
【図１６】
0003215858.tif 000018
【図１７】
0003215858.tif 000019
【図１８】
0003215858.tif 000020